(57)【特許請求の範囲】
【請求項１】
空調室の天井に埋設される箱型の本体ユニットと、同本体ユニットの底面に取り付けて前記天井を覆う四角形の化粧パネルを備えた天井埋込型空気調和機において、
前記化粧パネルは、化粧パネル本体と、前記化粧パネル本体の中央に着脱可能に取り付けられる吸込グリルと、前記化粧パネル本体の４つの角部をそれぞれ覆うコーナーパネルと、前記化粧パネル本体の四辺を覆うパネルカバーと、前記化粧パネル本体に軸支される４つの風向板を有し、前記化粧パネル本体は暗色に形成され、前記吸込グリルと前記コーナーパネルと前記パネルカバーと前記風向板は明色に形成されることを特徴とする天井埋込型空気調和機。
【請求項２】
前記暗色はマンセル表色系の明度で明度１から明度３の範囲の色を示し、前記明色はマンセル表色系の明度で明度８から明度９の範囲の色を示すことを特徴とする請求項１に記載の天井埋込型空気調和機。
【請求項３】
前記化粧パネル本体は、枠状の外枠部と、前記外枠部より内側に配置され前記吸込グリルを収納する枠状の内枠部と、前記外枠部と前記内枠部を前記化粧パネル本体の対角線Ｄ上で繋ぐ接続部で形成され、前記外枠部の角部を前記コーナーパネルが覆い、前記外枠部の四辺を前記パネルカバーが覆うことを特徴とする請求項１または２に記載の天井埋込型空気調和機。
【請求項４】
前記風向板は運転停止時に前記外枠部と前記内枠部の間を覆い、前記パネルカバーと前記コーナーパネルは、この時に前記風向板の外端を前記外枠部に垂直方向に仮想延長した位置から前記外枠部の外周縁までを覆うことを特徴とする請求項３に記載の天井埋込型空気調和機。
【発明の詳細な説明】
【技術分野】
【０００１】
本発明は、天井内に筐体が埋設された天井埋込型空気調和機に関し、さらに詳しく言えば化粧パネルの構造に関するものである。
【背景技術】
【０００２】
従来例の天井埋込型空気調和機は、内部に熱交換器および送風ファン（ターボファン）を含む箱型の筐体を天井内に埋設し、筐体の下面に取り付けられた四角形の枠状板体の化粧パネルの中央に設けた吸込口に吸込グリルを取り付け、吸込グリルの周囲で化粧パネルの各辺に合わせて長方形状の吹出口を設け、化粧パネルの角部で吹出口の間を繋ぐように角部吹出口を設け、吸込グリルから吸い込んだ空気を熱交換器で冷媒と熱交換して、吹出口と角部吹出口それぞれ設けた風向板で風向を調節して全方位に向けて吹き出す空気調和機で、オフィスや店舗等の比較的広い室内に用いられている。
【０００３】
昨今の天井埋込型空気調和機は、設置する室内空間に調和するデザインが好まれている。そして、吸込グリルの吸込孔を従来の桟を格子状に組み合わせて形成したものから平板に丸孔や角孔をあけて形成するようにして陰になる部分を減らしたり、運転停止時に吹出口を風向板で塞いだりして、明色の本体色中に存在して違和感を与える暗色部分を減らし、意匠性を向上させるようになっている。（例えば特許文献１参照）
【先行技術文献】
【特許文献】
【０００４】
【特許文献１】特開２００５−２４９３２８号公報
【発明の概要】
【発明が解決しようとする課題】
【０００５】
しかし化粧パネルの本体色が明色の場合、風向板が開くとそれぞれの吹出口と角部吹出口がバラバラに配置された孔に見えて統一感がない。また通風により吹出口周囲に付着した埃がユーザーに視認され不快感を与える。また化粧パネルは大型部品のため剛性を上げるために背面に多数のリブを設ける必要があるが、樹脂成形時にリブの影響で化粧パネルの表面にヒケが発生し化粧パネルの意匠性を下げていた。
【０００６】
本発明は以上述べた問題点を解決し、熱交換された空気を全方位に向けて吹き出す天井埋込型空気調和機において、化粧パネルの意匠性を向上させることを目的とする。
【課題を解決するための手段】
【０００７】
上述した課題を解決するために本発明は、空調室の天井に埋設される箱型の本体ユニットと、同本体ユニットの底面に取り付けて前記天井を覆う四角形の化粧パネルを備えた天井埋込型空気調和機において、
前記化粧パネルは、化粧パネル本体と、前記化粧パネル本体の中央に着脱可能に取り付けられる吸込グリルと、前記化粧パネル本体の４つの角部をそれぞれ覆うコーナーパネルと、前記化粧パネル本体の四辺を覆うパネルカバーと、前記化粧パネル本体に軸支される４つの風向板を有し、前記化粧パネル本体は暗色に形成され、前記吸込グリルと前記コーナーパネルと前記パネルカバーと前記風向板は明色に形成されることを特徴とする。
【０００８】
また、前記暗色はマンセル表色系の明度で明度１から明度３の範囲の色を示し、前記明色はマンセル表色系の明度で明度８から明度９の範囲の色を示す。
【０００９】
また、前記化粧パネル本体は、枠状の外枠部と、前記外枠部より内側に配置され前記吸込グリルを収納する枠状の内枠部と、前記外枠部と前記内枠部を前記化粧パネル本体の対角線上で繋ぐ接続部で形成され、前記外枠部の角部を前記コーナーパネルが覆い、前記外枠部の四辺を前記パネルカバーが覆うことも含まれる。
【００１０】
さらに、前記風向板は運転停止時に前記外枠部と前記内枠部の間を覆い、前記パネルカバーと前記コーナーパネルは、この時に前記風向板の外端を前記外枠部に垂直方向に仮想延長した位置から前記外枠部の外周縁までを覆うことも含まれる。
【発明の効果】
【００１１】
上記のように構成した本発明は、空調室の天井を覆う化粧パネルが明色となり天井に馴染むとともに、風向板が回動した時も化粧パネルの内側が枠状の暗色に視認されることで一体感のある意匠となる。また、化粧パネルの暗色により吹出口の埃が目立たなくなる。さらに化粧パネルをパネルカバーとコーナーパネルで覆うことで化粧パネルの背面にリブを多く設けることができて化粧パネルの剛性を上げることができる天井埋込空気調和機となる。
【図面の簡単な説明】
【００１２】
【図１】本発明による天井埋込型空気調和機の外観図である。
【図２】本発明による天井埋込型空気調和機の正面図である。
【図３】図２のＡ−Ａ断面図で、右側は運転時を示し左側は運転停止時を示す。
【図４】本発明による天井埋込型空気調和機の化粧パネルの分解図である。
【図５】図３のＸ部拡大図である。
【図６】図３のＹ部拡大図である。
【発明を実施するための形態】
【００１３】
以下、本発明を実施するための形態を、添付図面に基づいた実施例として詳細に説明するが、本発明はこれに限定されるものではない。
【００１４】
図１は本発明による天井埋込型空気調和機１の外観図であり、図２は空調室から見た正面図で、図３は図２に示すＡ−Ａ断面図で右側は運転時を示し左側は運転停止時を示す。図１から図３に示す本発明による天井埋込型空気調和機１（以下、空気調和機１とする）は、空調室Ｋ内の天井Ｔに埋設される箱型の本体ユニット１０と、同本体ユニットの底面１０１に取り付ける四角形の化粧パネル３とを備える。
【００１５】
本体ユニット１０は、四角形の四辺を長辺とし、四角形の四つの角を面取りしてできた四辺を短辺とする略八角形となる板金で形成された天板１３と、天板１３の外周から下方に延在する側板１１とで外郭が形成される。側板１１は、天板１３の短辺に沿って位置する側板１１ａの４箇所に吊下金具１２が固着されている。本体ユニット１０は、この吊下金具１２を図示しない天井裏壁面に埋め込まれた複数の吊りボルトにて吊り下げることで天井Ｔに設置される。
【００１６】
尚、図３における本体ユニット１０において、天板１３方向を上面または上方、空調室Ｋ方向を下面または下方として以下説明する。各部品においても同様である。
【００１７】
本体ユニット１０の天板１３と側板１１の内周面には断熱部材１４が設けられる。また、天板１３の中央内側にはネジによりファンモータ２１が固定され、ファンモータ２１から下方に伸びるシャフト２２に送風ファン２３が軸支される。送風ファン２３は所謂ターボファンである。
【００１８】
本体ユニット１０の下部はドレンパン６０で覆われる。ドレンパン６０の中央部分は開口され吸込口１６となる。吸込口１６には吸込口１６と送風ファン２３とを繋ぐベルマウス２４が配置される。また、ベルマウス２４の吸込口１６側には、吸込口１６を通る空気Ａの妨げにならないようにＬ字状に形成された電装品箱１８が配置される。電装品箱１８内には空気調和機１を制御する電装部品が収納される。
【００１９】
ファンモータ２１により回転駆動される送風ファン２３により、吸込口１６から空調室内の空気Ａが本体ユニット１０内に吸い込まれる。本体ユニット１０内に吸い込まれた空気Ａは、ベルマウス２４に沿って送風ファン２３に案内され、送風ファン２３の外方に向かって吹き出される。
【００２０】
送風ファン２３の周囲には、送風ファン２３を囲み断熱部材１４とドレンパン６０とで上下を挟まれた熱交換器２５が配設される。熱交換器２５の下部を受けるドレンパン６０は熱交換器２５で生成されるドレン水を受け止める。ドレン水は図示しないドレンポンプとドレンポンプに繋がったドレンパイプにより屋外へ排出される。
【００２１】
熱交換器２５は、図示しない冷房運転と暖房運転とが可能な可逆式の冷凍サイクル回路に接続されており、送風ファン２３から導かれた空気Ａを冷房運転時には蒸発器として機能して冷却し、暖房運転時には凝縮器として機能して加熱する。
【００２２】
熱交換器２５と側板１１の内周面の断熱部材１４との間と、ドレンパン６０に設けられた本体ユニット１０の四辺それぞれに沿った４つの本体吹出口１５は、送風ファン２３から吹き出された空気Ａを後述する化粧パネル３の吹出口３１へ案内する送風路１７となる。熱交換器２５で冷媒と熱交換された空気Ａは送風路１７を通り後述する吹出口３１から空調室Ｋに吹き出される。
【００２３】
前述したように本体ユニット１０の底面１０１には図３に示す四角形の板体で本体ユニット１０の底面１０１と空気調和機１を天井面Ｔ１に取り付けた時に本体ユニット１０の底面１０１周囲の天井面Ｔ１を覆う化粧パネル３を備える。
【００２４】
図４は化粧パネルの分解図である。図４に示すように化粧パネル３は、化粧パネル本体３０と、化粧パネル本体３０の中央に着脱自在に取り付けられる吸込グリル４０と、化粧パネル本体３０の４つの角部をそれぞれ覆うコーナーパネル４１と、化粧パネル本体３０の四辺を覆うパネルカバー４２と、化粧パネル本体３０に軸支される４つの風向板５を有し、さらに４つの風向板５をそれぞれ駆動するモータ４３と、モータ４３を上方から化粧パネル本体３０に固定する４つのモータ固定具４４と、後述する内枠部３４の吹出口３１に取り付けて吹出口３１の内周側を形成する第１パネル断熱部材４５とで構成される。
【００２５】
化粧パネル本体３０は樹脂製であり暗色に形成される。また、吸込グリル４０と、コーナーパネル４１と、パネルカバー４２と、風向板５は樹脂製であり明色に形成される。尚、ここで言う暗色とはマンセル表色系の明度で明度１から明度３の範囲の色を示し、明色とはマンセル表色系の明度で明度８から明度９の範囲の色を示す。
【００２６】
化粧パネル本体３０は、四角形の枠状で外枠を形成する外枠部３３と、外枠部３３より内側に配置され吸込グリル４０を収納する枠状の内枠部３４と、外枠部３３と内枠部３４を前記化粧パネル本体の対角線Ｄ上で繋ぐ接続部３５で形成される。外枠部３３と内枠部３４の間の溝が吹出用通路３２となり、吹出用通路３２内で隣り合う接続部３５の間に形成された開口が本体吹出口１５に合わせた吹出口３１となる。吹出口３１の中央には外枠部３３と内枠部３４に橋渡しされた軸受アーム３７が設けられる。
【００２７】
各吹出口３１には、風向板５が回動可能に配置されている。図２を参照して、各風向板５は、吹出口３１に合わせて直線状に形成された風向部５１と、風向部５１の両端に一体的に形成され、吹出用通路３２を覆う補助風向部５２、５２とを備えている。
【００２８】
風向板５の裏面には、回転軸（図示なし）が設けられている。この実施形態において、回転軸は風向部５１の中央および補助風向部５２、５２の左右端の３箇所に同一軸線上に設けられている。３箇所に設けられた回転軸のうち中央の回転軸は、軸受アーム３７に軸支される。また左右端の回転軸の一方は、後述する接続部３５に設けられた軸受部３５２の軸孔３５２ｂと、もう一方はモータ４３のギア４３２に接続される。
【００２９】
接続部３５には化粧パネル３の対角線Ｄで対称形となるモータ収納部３５１と軸受部３５２が設けられる。モータ収納部３５１と軸受部３５２は外枠部３３に沿って設けられる。モータ収納部３５１と軸受部３５２はそれぞれ吹出口３１側に垂直に立設する吹出口側壁面３５１ａ、３５２ａを備え、モータ収納部３５１では内側にモータ４３を収納し吹出口側壁面３５１ａにモータ４３のギア４３２が突出する。軸受部３５２は吹出口側壁面３５２ａに風向板５の軸部（図示なし）を受ける軸孔３５２ｂを備える。
【００３０】
運転停止時において各風向板３３は、図１と図２に示すように、吹出口３１に沿って水平となるように回動し吹出口３１を塞ぐ。その際、隣接する風向板５の補助風向部５２同士が互いに突き合わせられることにより、各吹出通路３２も一緒に塞がれる。
【００３１】
また、運転時においては、各風向板５が運転状況に応じて回動し、吹出口３１が現れる。各吹出口３１から吹き出された空気の多くは、風向板５の表面に沿って案内され、所定の吹出角度で四辺方向から室内に向けて吹き出される。
【００３２】
また、吹出口３１から吹き出された空気の一部は、補助風向部５２に沿って案内され、吹出通路３２に至り化粧パネル３の対角線Ｄ方向に室内に向けて吹き出される。このようにして空気調和機１は、化粧パネル３の各辺からの四方向に加え、４箇所の対角線Ｄ方向を含めた全周方向（８方向）に向かって調和空気が吹き出される。
【００３３】
図４に示すように外枠部３３には角部に開口３３７がある。この開口３３７には取付部３３１を備える。化粧パネル３を本体ユニット１０に取り付ける時は、開口３３７から本体ユニット１０を目視して本体ユニット１０の吊下金具１２に取付部３３１をネジで固定する。コーナーパネル４１は取付部３３１を覆い隠すものである。
【００３４】
外枠部３３は、図５に示すように吹出口３１の長辺に面する縁面３３４は垂直面となり縁面３３４から吹出口３１の出口に掛けて曲面３３５になり曲面３３５に沿って外方向へ空気を導く。曲面３３５において風向板５の外端５ａを垂直方向に仮想延長した位置にパネルカバー４２の肉厚分（約３ｍｍ）の段差部３３５ａが設けられる。
【００３５】
段差部３３５ａから外枠部３３の外周縁３３３までに前述したパネルカバー４２が取り付けられる。パネルカバー４２は、段差部３３５ａから幅Ｗ１分離れて風向板５の外端５ａとほぼ天井面Ｔからの距離Ｈ１が同じとなる位置の頂部３ａまで傾斜面４２１を備える。また頂部３ａから天井面Ｔに向かい傾斜する化粧面４２２を備える。
【００３６】
図６に示すように傾斜面４２１と化粧面４２２には外枠部３３側に係止爪４２１ａと係止突起４２２ａをそれぞれ設ける。係止爪４２１ａと係止突起４２２ａはそれぞれ複数個が一列に並び、外枠部３３に設けた係止孔３３２に係止されることで、外枠部３３に固定される。
【００３７】
外枠部３３は内側に外枠部３３を補強するリブ３３６を備える。リブ３３６は図４に示した外枠部３３の隣り合う開口３３７の間を繋ぐ直線状のリブとなる。またリブ３３６に交差した補助リブ（図示なし）も複数個設けられる。外枠部３３は表面がパネルカバー４２で覆われるため樹脂成形時にリブの影響により発生するヒケを気にすることが無く、多数のリブ３３６と補助リブを設けることができるため、化粧パネル本体３０の剛性を上げることができる。
【００３８】
外枠部３３の内側には第２パネル断熱部材４６を充填することで、結露対策がなされる。
【００３９】
接続部３５のモータ収納部３５１と軸受部３５２が設けられている外枠部３３の曲面３３５にも段差部３３５ａが連続して設けられている。そしてこの段差部３３５ａから外枠部３３の外周縁３３３までにコーナーパネル４１が取り付けられる。コーナーパネル４１とパネルカバー４２により外枠部３３は明色で覆われることになる。
【００４０】
運転停止時は吹出口３１と吹出用通路３２は風向板５で覆われて視認されない。この時、化粧パネル３は明色に形成された吸込グリル４０とコーナーパネル４１とパネルカバー４２と風向板５が視認されることで、全体に明色となり空調室Ｋの天井面Ｔ１に馴染んだ意匠となる。この様に本発明の明色とは空調室Ｋや天井面Ｔ１の色に馴染む白色に近い明るい色である。
【００４１】
運転が開始されると風向板５が回動する。この時、吹出通路３２は連続した暗色の溝として視認されることで、内部部品が目立たずに全方位吹出を印象づける意匠となる。この様に本発明の暗色とは上記の明色より暗い色である。さらに化粧パネル本体３０をパネルカバー４２とコーナーパネル４１で覆うことで化粧パネル本体３０の背面にリブを多く設けることができて化粧パネル本体３０の剛性を上げることができるものとなる。
【符号の説明】
【００４２】
１：天井埋込型空気調和機（空気調和機）、１０：本体ユニット
２３：送風ファン、２５：熱交換器
３：化粧パネル、３０：化粧パネル本体、３１：吹出口、３２：吹出用通路、３３：外枠部、３４：内枠部、３５：接続部
４０：吸込グリル、４１：コーナーパネル、４２：パネルカバー、４２１：傾斜面、４２２：化粧面、４３：モータ
５：風向板、５ａ：外端、５１：風向部、５２：補助風向部
Ａ：空気、Ｄ：対角線、Ｋ：空調室内、Ｔ１：天井面
【図１】
0006451516.tif 000002
【図２】
0006451516.tif 000003
【図３】
0006451516.tif 000004
【図４】
0006451516.tif 000005
【図５】
0006451516.tif 000006
【図６】
0006451516.tif 000007